(57)【特許請求の範囲】
【請求項１】
物品が収納可能な封筒や箱などの配送用具本体に、該配送用具本体の一面に一辺側を貼り付けて固定部とした配送伝票取付用の透視可能なシートが捲り上げ可能にして重ね合わされて、配送用具本体の一面と前記透視可能なシートの捲り上げ部との間に、複数枚の帳票を分離可能に綴じ合わせてなる配送伝票が配置可能とされ、前記捲り上げ部の配送用具本体側片面において、少なくとも前記固定部と対向する辺に直交する二辺とこの二辺間の所定部とに粘着剤を塗布してなる貼着手段を設け、該貼着手段が保護手段で剥離可能に覆われていて、
前記透視可能なシートは固定部と対向する辺に沿った方向での長さ寸法が、該シートと配送用具本体との間に配置される前記配送伝票より大寸とされ、
前記貼着手段における前記二辺の粘着剤塗布部分が前記配送用具本体への貼着部分とされているとともに、前記貼着手段における前記二辺間の所定部の粘着剤塗布部分が配送伝票への貼着部分とされていて、
前記二辺間の所定部の粘着剤塗布部分は、配送用具本体の一面と前記透視可能なシートにおける保護手段の分離をした捲り上げ部との間に配置された配送伝票の最上位の帳票に貼着したときにこの最上位の帳票の下位の帳票を抜き取り可能にして該最上位の帳票を保持する部分であることを特徴とする配送用具。
【請求項２】
上記配送用具本体側片面の上記固定部と対向する辺に直交する二辺に位置する貼着手段と前記二辺間の所定部に位置する貼着手段との間には、粘着剤を塗布しない非貼着部が設けられている請求項１に記載の配送用具。
【請求項３】
上記捲り上げ部は上記固定部と対向する折り部から展開可能に二つ折りされ、二つ折り状態の捲り上げ部において対向する一方の対向面に貼着手段が位置し、他方の対向面に前記貼着手段を剥離可能に覆う保護手段が位置している請求項１に記載の配送用具。
【発明の詳細な説明】
【０００１】
【発明の属する技術分野】
本発明は各種物品を配送伝票と組み合わせて配送する際に使用する配送用具に関するものである。
【０００２】
【発明が解決しようとする課題】
従来から各種物品を配送する場合、予め作成されている封筒や箱などの配送用具を用いて包装し、これに配送元や配送先の住所氏名、配送品名などの配送情報を記載した配送伝票を組み合わせて配送業者に依頼することが多く行われている。そして、この配送業務に用いられる配送伝票としては、複数枚の帳票を綴じ合わせて最上位の帳票に記載した情報が下位の帳票にも同時複写される複写タイプであって、配送物に貼り付けることができるように粘着剤からなる貼着手段を備えているものが多く利用されている。
ところで、近年においては静電印刷方式などのノンインパクトプリンタを用いて配送伝票の出力が行われるようになってきているが、この場合、複数の帳票が割り付けられた一枚の用紙に情報出力を行ない、配送情報を有した帳票を分離してから重ねて綴じ合わせることで配送伝票を作成するシステムとしていることが多く、そのため作成された配送伝票には貼着手段が設けられていないものとなっている。そして、これを上記配送用具に一体的に取り付けるようにするには、最下位となっている帳票の裏面や配送用具側に接着剤を塗布して貼り付けるようにしたり、或いは配送物と作成された配送伝票とをまとめて一つの透明な包装袋に収納するなどの手間を要するものとなっていて、このように貼着手段を備えていない配送伝票を配送用具に簡単に取り付けることができるようにしたいとの要望がなされている。
そこで本発明は上記事情に鑑み、配送情報が記載された配送伝票を配送用具に取り付ける手段をその配送用具に予め設けることを課題とし、配送伝票が配送用具に容易に取り付けられるようにすることを目的とするものである。
【０００３】
【課題を解決するための手段】
本発明は上記課題を考慮してなされたもので、物品が収納可能な封筒や箱などの配送用具本体に、該配送用具本体の一面に一辺側を貼り付けて固定部とした配送伝票取付用の透視可能なシートが捲り上げ可能にして重ね合わされて、配送用具本体の一面と前記透視可能なシートの捲り上げ部との間に、複数枚の帳票を分離可能に綴じ合わせてなる配送伝票が配置可能とされ、前記捲り上げ部の配送用具本体側片面において、少なくとも前記固定部と対向する辺に直交する二辺とこの二辺間の所定部とに粘着剤を塗布してなる貼着手段を設け、該貼着手段が保護手段で剥離可能に覆われていて、前記透視可能なシートは固定部と対向する辺に沿った方向での長さ寸法が、該シートと配送用具本体との間に配置される前記配送伝票より大寸とされ、前記貼着手段における前記二辺の粘着剤塗布部分が前記配送用具本体への貼着部分とされているとともに、前記貼着手段における前記二辺間の所定部の粘着剤塗布部分が配送伝票への貼着部分とされていて、前記二辺間の所定部の粘着剤塗布部分は、配送用具本体の一面と前記透視可能なシートにおける保護手段の分離をした捲り上げ部との間に配置された配送伝票の最上位の帳票に貼着したときにこの最上位の帳票の下位の帳票を抜き取り可能にして該最上位の帳票を保持する部分であることを特徴とする配送用具を提供して、上記課題を解消するものである。
本発明において、上記配送用具本体側片面の上記固定部と対向する辺に直交する二辺に位置する貼着手段と前記二辺間の所定部に位置する貼着手段との間には、粘着剤を塗布しない非貼着部が設けられていることが良好である。また、上記捲り上げ部は上記固定部と対向する折り部から展開可能に二つ折りされ、二つ折り状態の捲り上げ部において対向する一方の対向面に貼着手段が位置し、他方の対向面に前記貼着手段を剥離可能に覆う保護手段が位置しているものとすることが可能である。
【０００４】
【発明の実施の形態】
つぎに本発明を図１から図７に示す実施の形態に基づいて詳細に説明する。
図中１は配送用具で、図１に示されているようにこの配送用具１は一辺開放型の大型封筒とした配送用具本体２とこの配送用具本体２の一面２ａに重ね合わされている方形状の透視可能な透明シート３とからなるものであり、前記透明シート３は配送用具本体２の一面に一辺側を粘着剤４を介して貼り付けて固定部５とし、その固定部５と対向する辺６から捲り上げできるように設けられている。
【０００５】
上記透明シート３の固定部５を除いた捲り上げ部７は、この配送用具１の使用に際して配送用具本体２の一面２ａとの間で後述の配送伝票８を保持する働きをする部分である。図３は透明シート３を単独で示していて、図において捲り上げ部７における配送用具側片面７ａが正面となるように表現されている（後述の保護手段１２は仮想線で図示した）。この図３に示されているように透明シート３は固定部５側から辺６側にかけて粘着剤が塗布されていない非貼着部９、粘着剤を塗布してなる貼着手段１０との順に配置されていて、さらに辺６に沿って非貼着部９が位置している。前記貼着手段１０は図示されているように所要の幅に粘着剤を塗布してなるものであり、辺６に直交する二辺１１、１１の間に亘って設けられている。さらにこの貼着手段１０は剥離紙からなる保護手段１２によって剥離可能に覆われており、配送用具１の未使用の状態で貼着手段１０が配送用具本体２の一面２ａに貼り付かないようにしている（図２参照）。
なお、辺６に沿った非貼着部９は保護手段１２を剥ぎ取りし易くするためのものであり、必ずしも必要とするものではない。
【０００６】
このように配送用具本体２の一面２ａに貼着手段１０を有する透明シート３を予め重ね合わせているため、上記保護手段１２を剥ぎ取るとともに、図３に示すように透明シート３の縦寸法（辺６に沿った方向の長さ寸法）より縦寸法が小さい配送伝票８を、固定部５に突き当てて、また辺１１、１１と重ならないようにして配置し、そして捲り上げ部７を配送用具本体２の一面２ａに戻すようにして貼着手段１０をその配送伝票８から一面２ａにかけて貼り付けるようにする。これによって配送伝票８に記載された情報が透明シート３を通して目視確認できる状態で、この配送伝票８が配送用具本体２と一体となる。なお、配送伝票８は固定部５に突き当てるように配置することで他端側が辺６から外方に表出する大きさのものである。
貼着手段１０は辺１１、１１において配送用具本体２に貼着し、辺１１、１１以外の貼着手段１０が配送伝票８に貼着しているため、配送伝票８は確実に保持される。即ち、図３に示されているように、保護手段１２を剥離した貼着手段１０での辺１１、１１の粘着剤塗布部分が前記配送用具本体への貼着部分となるとともに、辺１１、１１以外の粘着剤塗布部分が配送伝票８への貼着部分とされている。また、前記配送伝票８が複数枚の帳票を固定部５に突き当てた一辺側で分離可能に綴じ合わされてるものであり、貼着手段１０が貼着している最上位の帳票を除いた下位の帳票を、この配送用具１の配送過程で抜き取る帳票とすることができる。
【０００７】
上記実施の形態において、貼着手段１０を辺６に直交する二辺１１、１１の間に亘って設けたが、本発明はこの例に限定されるものではない。図４に示すように二辺１１、１１に位置する貼着手段１０とこの二辺間１１、１１の中央に位置する貼着手段１０との間に、粘着剤を塗布しない非貼着部９を設けてこれらを辺６に沿う非貼着部９に連続させ、これによって辺１１、１１に位置する貼着手段１０それぞれが配送伝票８から離れるようにして、辺６側で辺１１、１１に位置する貼着手段１０と配送伝票８との間にある程度の間隔１３が形成されるようにしてもよい。このようにすれば、辺６側での開放口が広くなり、配送伝票８の下位の帳票が抜き易くなる。
【０００８】
上記実施の例では貼着手段１０を覆う保護手段１２を剥離紙からなるものとしたが、本発明はこの例に限定されるものではなく、図５に示されるように上記捲り上げ部７を、固定部５と対向する折り部１４から展開可能に二つ折りされているものとし、その二つ折り状態の捲り上げ部７での対向面７ｂ、７ｃにおける貼着手段１０とした粘着剤４と透明シート本体に剥離加工を施してなる保護手段１２とが相対する関係で配置されるようにしてもよい。また、図６に示すように折り部１４を境にした領域それぞれで辺６に沿った方向に粘着剤４と保護手段１２とを交互に配置したり、図７に示されているように折り部１４と直交する方向に粘着剤４と保護手段１２とを交互に配置してもよい。
【０００９】
上記各例において配送用具本体２を大型封筒形式のものとして示したが、配送用具本体２はこれらの例に限定されない。また、上記実施の形態では固定部となる粘着剤塗布領域と貼着手段を得るための粘着剤塗布領域との間に上記非貼着部を設けているが、透明シートにおける捲り上げ部のほぼ全域に粘着剤を塗布し、この粘着剤塗布領域を二枚の剥離紙からなる保護手段で覆うようにしてもよい。この場合、二枚の剥離紙の突き合わせ部分に対応する透明シート側を非貼着部とすれば、剥離紙それぞれの剥離作業が容易になる。
【００１０】
【発明の効果】
以上説明した本発明により、透明シートの貼着手段の働きによって配送伝票などの帳票類を配送用具本体と容易に一体とすることごができ、帳票類の取付作業が簡単になるなど、実用性に優れた効果を奏するものである。
【図面の簡単な説明】
【図１】  本発明に係る配送用具の一例を示す説明図である。
【図２】  一例における要部を断面で示す説明図である。
【図３】  透明シートの配送用具側片面を示す説明図である。
【図４】  一例の使用状態を示す説明図である。
【図５】  他の例を示す説明図である。
【図６】  同じく他の例を示す説明図である。
【図７】  同じく他の例を示す説明図である。
【符号の説明】
１…配送用具
２…配送用具本体
３…透明シート
４…粘着剤
５…固定部
６…辺
７…捲り上げ部
８…配送伝票
９…非貼着部
１０…貼着手段
１１…辺
１２…保護手段
１４…折り部
【図１】
0004169317.tif 000002
【図２】
0004169317.tif 000003
【図３】
0004169317.tif 000004
【図４】
0004169317.tif 000005
【図５】
0004169317.tif 000006
【図６】
0004169317.tif 000007
【図７】
0004169317.tif 000008